(57)【要約】【課題】  入力される画像信号の色相および輝度を調整する画像信号変換方法を提供する。【解決手段】  入力された画像信号を画像表示装置で表示可能な画像信号に変換する画像信号変換方法であって、入力された画像信号の色成分と画像表示装置で表示可能な色成分とを色空間における色域に変換するステップ（ステップＳ４００）と、色相調整変数を計算するために、色空間に変換された色域をそれぞれ比較するステップ（ステップＳ４０２）と、色相調整変数を利用して、入力された画像信号の色相を調整するステップ（ステップＳ４０４）とを含む。【選択図】      図４
2006094504.tif 000002
【特許請求の範囲】
【請求項１】
入力された画像信号を画像表示装置で表示可能な画像信号に変換する画像信号変換方法であって、
前記入力された画像信号の色成分、および／または、前記画像表示装置で表示可能な色成分を色空間における色域に変換するステップと、
色相調整変数を計算するために、前記色空間に変換された色域をそれぞれ比較するステップと、
前記色相調整変数を利用して、前記入力された画像信号の色相を調整するステップと
を含むことを特徴とする画像信号変換方法。
【請求項２】
前記色空間に変換された色域を比較するステップは、
前記色空間の色域から、前記入力された画像信号の最大色度に対する色相および輝度と、前記画像表示装置で表示可能な画像信号の最大色度に対する色相および輝度と、を抽出するステップと、
前記抽出された色相および輝度を利用して、前記色相調整変数を計算するステップと
を含むことを特徴とする請求項１に記載の画像信号変換方法。
【請求項３】
前記色相調整変数は、前記入力された画像信号から抽出された最大輝度の色相と、前記画像表示装置で表示可能な画像信号から抽出された最大輝度の色相とが同一になるようにするための値であることを特徴とする請求項２に記載の画像信号変換方法。
【請求項４】
前記色空間における色域に変換するステップは、前記色成分を、３つの色成分で表示可能な色空間における色域に変換することを特徴とする請求項１乃至請求項３のいずれか一項に記載の画像信号変換方法。
【請求項５】
前記色空間における色域に変換するステップは、前記色成分を、５つの色成分で表示可能な色空間における色域に変換することを特徴とする請求項１乃至請求項３のいずれか一項に記載の画像信号変換方法。
【請求項６】
前記色相を調整するステップで色相を調整された前記入力された画像信号の輝度を調整するステップと、
前記輝度を調整するステップで輝度を調整された前記入力された画像信号の色域を、前記色空間に変換する前の元の空間に逆変換するステップと
をさらに含むことを特徴とする請求項１乃至請求項５のいずれか一項に記載の画像信号変換方法。
【請求項７】
前記入力された画像信号の輝度を調整するステップは、
輝度調整変数を計算するために、前記色空間に変換された色域を比較するステップと、
前記輝度調整変数を利用して、前記入力された画像信号の輝度を調整するステップと
を含むことを特徴とする請求項６に記載の画像信号変換方法。
【請求項８】
前記輝度調整変数は、前記入力された画像信号から抽出された最大輝度と、前記画像表示装置で表示可能な画像信号から抽出された最大輝度とが同一になるようにするための値であることを特徴とする請求項７に記載の画像信号変換方法。
【請求項９】
入力された画像信号を画像表示装置で表示可能な画像信号に変換する画像信号変換装置であって、
前記入力された画像信号の色成分、および／または、前記画像表示装置で表示可能な色成分を色空間における色域に変換する色空間変換部と、
色相調整変数を計算するために、前記色空間に変換された色域をそれぞれ比較する色相調整変数計算部と、
前記色相調整変数を利用して、前記入力された画像信号の色相を調整する色相調整部と
を備えることを特徴とする画像信号変換装置。
【請求項１０】
前記色相調整変数計算部は、
前記色空間の色域から、前記入力された画像信号の最大色度に対する色相および輝度と、前記画像表示装置で表示可能な画像信号の最大色度に対する色相および輝度と、を抽出し、該抽出された色相および輝度を利用して、前記色相調整変数を計算することを特徴とする請求項９に記載の画像信号変換装置。
【請求項１１】
前記色相調整変数は、前記入力された画像信号から抽出された最大輝度の色相と、前記画像表示装置で表示可能な画像信号から抽出された最大輝度の色相とが同一になるようにするための値であることを特徴とする請求項１０に記載の画像信号変換装置。
【請求項１２】
前記色空間変換部は、前記色成分を、３つの色成分で表示可能な色空間における色域に変換することを特徴とする請求項９乃至請求項１１のいずれか一項に記載の画像信号変換装置。
【請求項１３】
前記色空間変換部は、前記色成分を、５つの色成分で表示可能な色空間における色域に変換することを特徴とする請求項９乃至請求項１１のいずれか一項に記載の画像信号変換装置。
【請求項１４】
前記色相調整部で色相を調整された前記入力された画像信号の輝度を調整する輝度調整部と、
前記輝度調整部で輝度を調整された前記入力された画像信号の色域を、前記色空間に変換する前の元の空間に逆変換する色空間逆変換部と
をさらに備えることを特徴とする請求項９乃至請求項１３のいずれか一項に記載の画像信号変換装置。
【請求項１５】
輝度調整変数を計算するために、前記色空間に変換された色域を比較する輝度調整変数計算部をさらに備え、
前記輝度調整変数計算部は、前記計算した輝度調整変数を前記輝度調整部に伝達することを特徴とする請求項１４に記載の画像信号変換装置。
【請求項１６】
前記輝度調整変数は、前記入力された画像信号から抽出された最大輝度と、前記画像表示装置で表示可能な画像信号から抽出された最大輝度とが同一になるようにするための値であることを特徴とする請求項１５に記載の前記画像信号変換装置。
【請求項１７】
入力された画像信号を出力装置で出力可能な画像信号に変換する画像信号変換方法であって、
前記入力された画像信号の色成分を前記出力装置の色空間における色域に変換するステップと、
色相調整変数を計算するために、前記色空間に変換された色域を比較するステップと、
前記色相調整変数を利用して、前記入力された画像信号の色相を調整するステップとを含み、
前記色空間に変換された色域を比較するステップは、前記入力された画像信号の最大色度に対応する色相および輝度と、前記出力装置で出力可能な画像信号の最大色度に対応する色相および輝度とが同一になるようにすることを特徴とする画像信号変換方法。
【発明の詳細な説明】
【技術分野】
【０００１】
本発明は、入力された画像を表示（display）する画像表示装置における色相および輝度を調整する画像信号変換方法および画像信号変換装置に関し、さらに詳細には、画像表示装置で表示可能な画像の色域に応じて、入力された画像の色相および輝度を調整する画像信号変換方法および画像信号変換装置に関する。
【背景技術】
【０００２】
電子工学の発達のおかげで、ユーザに提供される情報は、単純なテキスト情報だけではなく、多様なマルチメディア情報を含むようになった。ユーザに提供されているマルチメディア情報は、テキスト情報だけではなく、静止画、動画、アニメーション、サウンドなどの様々な形態を含む。特に、このようなマルチメディア情報の中で、動画は次世代ＶＯＤ（Video on Demand）サービスや、対話型サービス（Interactive Service）の基盤となっているので、標準化への研究が盛んに進められている。
【０００３】
デジタル電子工学技術の発展に伴い、従来のアナログデータはデジタル化されており、これにともなう膨大なデータを効率良く処理するために、多様なデジタル画像処理技術が登場するようになった。デジタル画像処理技術の長所は、次のとおりである。第１に、全てのアナログ装置は、ある機能を行うとき、本来の信号に雑音が混入するため、録画した結果は、これを処理するステップを経る過程で画質が劣化する。しかし、デジタル画像処理装置は、このような画質の劣化を防止できる。第２に、信号をデジタル化するので、コンピュータを利用した処理が可能になった。コンピュータで画像信号を処理することによって、画像情報の圧縮処理などが可能となる。
【０００４】
デジタル画像処理技術とは、媒体に記録されたアナログデータをコンピュータを利用し、どのように表現できるかに関する技術である。デジタル画像の可能性は、ＲＣＡ研究陣により８０年代後半から提案されてきたＤＶＩ（Digital Video Interactive）方式によって具体化された。このＤＶＩ方式では、特殊なプロセッサは、マイクロプログラム可能な画像処理に適した命令を行うのに利用され、一般的なプロセッサは、リアルタイムで処理しがたい機能を行うのに利用される。
【０００５】
また、１９８９年から進められてきたＪＰＥＧ（Joint Photographic Experts Group）およびＭＰＥＧ（Moving Pictures Experts Group）の専門家グループは、ハードウェア的に具現化することは困難であるが、ＤＶＩよりはるかに優れた性能の標準符号化方式を定めており、このような符号化方式は、大部分の企業がこれを支持しているので、今後のデジタル画像発展に主な役割を果たすことと予測される。特に、ＭＰＥＧの場合には、パーソナルコンピュータ上での画像処理だけではなく、ＨＤＴＶ（High Definition TV）のような高画質システムのデジタル化を目指して、ＭＰＥＧ２、ＭＰＥＧ３のような継続的な規格の改善が試みられている。
【０００６】
なお、別のハードウェアを購入せずに、メインプロセッサの処理能力のみを利用して画像を処理するための技術が１９９１年より紹介され始め、現在はアップル社のQuickTime（登録商標）、マイクロソフト社のウィンドウズ（登録商標）用画像（Video for Windows（登録商標））、インテル社のインディオ（Indeo）に代表されている。このような画像処理技術は、高速化されるメインプロセッサにより、パーソナルコンピュータで特に脚光を浴びている。
【０００７】
多様なデジタル画像処理技術が紹介されるに従い、標準化作業も共に行なわれる。このような標準化作業により、デジタル画像処理技術は、画像会議システム、デジタル放送符号化システムおよび画像電話技術（Image Telephone Technology）だけに限定されたものではなく、コンピュータ産業および通信産業などにも幅広く共有されて互換される。例えば、ＣＤ−ＲＯＭなど光ディスクやデジタル記録媒体への情報格納のためのデジタル画像圧縮技術は、画像通信などのための圧縮技術とほぼ同じ基盤技術により実現される。現在、ＭＰＥＧの標準化は、ＩＳＯ‐ＩＥＣ、ＪＴＣ１、ＳＣ１、ＷＧ１１（国際標準化機関（会議））により進められており、１９９０年代に専門家グループが発足して以来、いまだにその標準化作業が進められている。
【０００８】
ところが、従来の技術に係る画像信号は、Ｒ（Red）、Ｇ（Green）およびＢ（Blue）で代表される３次元色空間で処理され、３色の光源を利用しディスプレイされる。画像信号をＲＧＢ３つの色信号を利用しディスプレイできる理由は、ＲＧＢ３色が全ての色を構成する原色（primary color）であるからである。
【０００９】
一般に、ＲＧＢ３色光源を利用するディスプレイは、全ての色をＲＧＢの組み合わせより表現することになるが、この場合、色座標上でＲ、Ｇ、Ｂによる合成色の表現が不十分になる。これは、実際人間が見ることのできる色は、Ｒ、Ｇ、Ｂからなる色域よりさらに広いためである。したがって、人間が見ることのできる色を良好に再現するために、３色以外に他の色を追加すれば、３色では表現できなかった色を表現できるので、自然色にさらに近い色を表現することが可能である。
【００１０】
図１は、色を表現するのに用いられる原色同士の関係を示す図である。図１に示しているように、全ての色信号は、ＲＧＢ３原色の組み合わせから表示されることができる。このとき、Ｒ信号とＧ信号とが組み合わせられればＹ（Yellow）信号となり、Ｇ信号とＢ信号とが組み合わせられればＣ（Cyan）信号となり、Ｂ信号とＲ信号とが組み合わせられればＭ（Magenta）信号となる。また、ＲＧＢ３原色が全て混合されれば、白色光Ｗとなる。
【００１１】
図２は、色座標を示している。図２は、ＨＤＴＶの標準仕様で提案されている色座標ｓＲＧＢと、現在市販されているＴＶの色座標３Ｐ  ＤＬＰ（Digital Light Processing）と、５色で駆動される画像表示装置の色座標５Ｐ  ＤＬＰとを示している。図２に示されているように、色座標は、互いに異なる形態を有する。すなわち、画像表示装置に入力される信号の色域（ＨＤＴＶ標準で提示している色座標に該当する領域）と画像表示装置で表示可能な色域（現在市販しているＴＶの色座標、５色で駆動される画像表示装置の色座標に該当する領域）とは、互いに異なる。
【００１２】
図３は、画像表示装置に入力される信号と画像表示装置で処理できる信号とを示している。特に、図３は、信号別に最大色度を有する信号の輝度および色相を示している。図３に示すように、画像表示装置に入力される信号の輝度および色相は、画像表示装置で表示可能な信号の輝度および色相と一致していない。したがって、画像表示装置に入力される信号の輝度および色相を、画像表示装置で表示可能な信号の色度と色相の範囲内に変換する方法が必要となる。
【発明の開示】
【発明が解決しようとする課題】
【００１３】
そこで、本発明は、上述した問題点を解決するためになされたものであって、入力される信号の輝度と色相とを画像表示装置で表示可能な輝度と色相とに変換する画像信号変換方法および画像信号変換装置を提供することを目的とする。
また、本発明は、入力される信号の輝度と色相とを画像表示装置で表示可能な輝度と色相とに変換する場合に生じ得る、輝度の逆転現象を防止できる画像信号変換方法および画像信号変換装置を提供することを他の目的とする。
【課題を解決するための手段】
【００１４】
前記した目的を達成するため、本発明の画像信号変換方法は、入力された画像信号を画像表示装置で表示可能な画像信号に変換する画像信号変換方法であって、前記入力された画像信号の色成分、および／または、前記画像表示装置で表示可能な色成分を色空間における色域に変換するステップと、色相調整変数を計算するために、前記色空間に変換された色域をそれぞれ比較するステップと、前記色相調整変数を利用して、前記入力された画像信号の色相を調整するステップとを含むことを特徴とする。
【００１５】
また、前記した目的を達成するため、本発明の画像信号変換装置は、入力された画像信号を画像表示装置で表示可能な画像信号に変換する画像信号変換装置であって、前記入力された画像信号の色成分、および／または、前記画像表示装置で表示可能な色成分を色空間における色域に変換する色空間変換部と、色相調整変数を計算するために、前記色空間に変換された色域をそれぞれ比較する色相調整変数計算部と、前記色相調整変数を利用して、前記入力された画像信号の色相を調整する色相調整部とを備えることを特徴とする。
【発明の効果】
【００１６】
本発明によれば、入力される画像信号の色域を画像表示装置で表示可能な色域に変換する場合、輝度だけではなく色相も考慮して変換する。このように輝度だけではなく色相も考慮して入力される画像信号の色域を変換することによって、輝度の逆転現象を防止できる。
【発明を実施するための最良の形態】
【００１７】
以下、本発明の好適な実施形態として、本発明の画像変換装置を組み込んだ画像表示装置を添付の図面に基づいて詳述する。
図４は、本実施形態の画像表示装置に入力される画像信号の色相および輝度を画像表示装置で表示可能な色相および輝度に変換する過程を示している。以下、図４を参照し、入力される画像信号の色相および輝度を画像表示装置で表示可能な色相および輝度に変換する過程について述べる。
【００１８】
ステップＳ４００において、画像表示装置は、入力された画像信号の色成分、および／または、画像表示装置で表示可能な色成分を共通色空間（色空間）における色域に変換する。以下、図５ないし図６を参照し、この共通色空間について述べる。図５は、３つの色成分で表示可能な色空間をグラフで示している。図５は、ｙ軸（縦軸）を色の輝度（Luminance）として示すものであって、図示のように、３つの色成分を有する色信号で表示できる色空間は、原点（０，０）を基準として、３つの色成分をそれぞれ表す直線を軸にして、３次元上で６面体をなすようになる。以下、図５を参照し、色度と色相とについて述べる。
【００１９】
ｘ軸（横軸）上の「０」を始点として、ｙ軸に沿って直線を引く。この直線からｘ軸方向に特定座標までの距離が「色度」を表し、この直線上の特定地点を基準として、任意の基準点と前記特定座標までの回転角が「色相」を表す。
【００２０】
図６は、５つの色成分で表示可能な色空間をグラフで示す図である。図６もまた、ｙ軸を色の輝度として示すものであって、図示のように、５つの色成分を有する色信号で表示できる色空間は、原点（０，０）を基準として、５つの色成分をそれぞれ直線を軸にして、３次元上で２０面体をなすようになる。ここで、「色度」と「色相」は、図５で説明した方法と同様な方法により算出できる。図５と図６で示した共通色空間を利用して、色相、輝度および色度の関係を表すことができる。すなわち、最大色度を有する信号の色相および輝度との関係を表すことができる。前記したように、図３は、最大色度を有する信号の色相と輝度との関係を示している。このステップＳ４００は、画像信号の色成分を、３つの色成分で表示可能な色空間における色域に変換するようにしてもよいし、５つの色成分で表示可能な色空間における色域に変換するようにしてもよい。
【００２１】
ステップＳ４０２において、画像表示装置は、色相調整のための変数（色相調整変数）を計算する。色相調整変数を計算する過程については後記する。
ステップＳ４０４において、画像表示装置は、ステップＳ４０２で計算した色相調整変数を利用して、入力信号の色相を調整する。
ステップＳ４０６において、画像表示装置は、輝度調整のための変数（輝度調整変数）を計算する。輝度調整変数を計算する過程については後記する。
ステップＳ４０８において、画像表示装置は、ステップＳ４０６で計算した輝度調整変数を利用して、入力信号の輝度を調整する。
ステップＳ４１０において、画像表示装置は、共通色空間で色相および輝度を調整した入力信号を色空間に変換する前の元の空間に逆変換する。
【００２２】
図７は、最大色度を有する入力信号の色相および輝度と、出力信号の色相および輝度とを比較して示すグラフである。ここで、入力信号は、画像表示装置に入力される信号を意味し、出力信号は、画像表示装置で表示可能な信号を意味する。
従来技術は、１つの色相内で入力信号の輝度を調整する方法を提案している。以下、図７を参照して、少なくとも２つの色相内で入力信号の輝度を調整する場合に生じ得る問題点（輝度の逆転現象）と、これに対する解決方法について述べる。
【００２３】
図７の「ａ」と「ｃ」は、入力信号の色座標（色相および輝度で表現される色座標）を意味し、「ｂ」と「ｄ」は、入力信号の色座標に対応する出力信号の色座標を意味する。このような場合、「ａ」は、「ｃ」に比べて高い輝度と低い色相とを有する。しかし、「ｂ」は、「ｄ」に比べて低い輝度と高い色相とを有する。仮に、１つの色相内で輝度を調整する場合には、前記問題点が発生しない。しかし、少なくとも２つの色相内で輝度を調整する場合には、前記問題点が発生する。本願発明では、このような問題点を解決するために、入力信号を変換により移動させる方法を提案する。すなわち、出力信号の輝度の最大値に対応する色相を、入力信号の輝度の最大値に対応する色相に一致させる方法を提案する。図８を参照して、一致させる方法について述べる。
【００２４】
図８の「ａ′」と「ｃ′」は、入力信号の色座標を意味し、「ｂ′」と「ｄ′」は、入力信号の色座標に対応する出力信号の色座標を示す。「ｃ′」は、「ａ′」に比べて高い輝度と色相とを有する。また、「ｄ′」は、「ｃ′」に比べて高い輝度と色相とを有する。すなわち、高い輝度を有する出力信号の色座標に対応して、入力信号の色座標も高い輝度を有するように、入力信号を移動させる。これにより、入力信号の色域を出力信号の色域に含まれるように変換する場合に生じ得る「輝度の逆転現象」を防止できるようになる。
【００２５】
図９は、本発明の実施形態に係る画像表示装置の構成を示す図である。以下、画像表示装置を構成する各部が行う動作について述べる。
画像表示装置は、制御部９００、色空間変換部９０２、色相調整変数計算部９０４、色相調整部９０６、輝度調整変数計算部９０８、輝度調整部９１０、色空間逆変換部９１２からなる。これらの構成以外に、他の構成を画像表示装置に含めて構成してもよいことは自明である。以下、各部について、順次に述べる。
【００２６】
色空間変換部９０２は、制御命令によって入力された画像信号の色成分を色空間における色域に変換する。また、色空間変換部９０２は、画像表示装置で表示可能な色成分を色空間における色域に変換する。色空間における色域に変換する過程は、図５ないし図６で述べたことと同様である。すなわち、色空間変換部９０２は、入力された信号のうち、最大色度を有する画像信号の色相および輝度の関係（色空間における色域）を出力する。色空間変換部９０２は、色空間に変換された画像信号の色相および輝度の関係（色域）を色相調整変数計算部９０４に伝達する。
【００２７】
色相調整変数計算部９０４は、制御部９００の制御命令によって色空間変換部９０２から伝達された、色空間における色相および輝度の関係（色域）と、画像表示装置で表示可能な信号のうち、最大色度を有する画像信号の色相および輝度の関係（色域）とを抽出して比較し、色相調整変数を計算する。すなわち、色相調整変数計算部９０４は、画像表示装置で表示可能な信号のうち、高い輝度を有する色座標に対応する伝達された画像信号の色座標も高い輝度を有するように、前記した色相調整変数を計算する。この色相調整変数は、画像表示装置で表示可能な信号のうち、最大輝度を有する色座標の色相と、伝達された画像信号の最大輝度を有する色座標の色相とを一致させるための値であり、伝達された画像信号の色相を移動させた距離（値）を意味する。色相調整変数計算部９０４で計算された色相調整変数は、色相調整部９０６に伝達される。
【００２８】
色相調整部９０６は、色相調整変数計算部９０４から伝達された色相調整変数を利用して、伝達された画像信号の色相を調整する（ステップＳ４０４）。図９では、色相調整部９０６と色相調整変数計算部９０４とを別の構成で示しているが、１つのユニットで構成できることは自明である。
【００２９】
色相調整部９０６で色相調整された画像信号は、輝度調整変数計算部９０８に伝達される。図９では、色相調整された画像信号が制御部９００を経て輝度調整変数計算部９０８に伝達されるように示されているが、色相調整部９０６が、色相調整された画像信号を輝度調整変数計算部９０８に直接伝達するように構成してもよい。
【００３０】
輝度調整変数計算部９０８は、制御部９００の制御命令によって、色相調整部９０６から伝達された画像信号に対する輝度調整変数を計算する（ステップＳ４０６）。輝度調整変数計算部９０８は、画像表示装置で表示可能な画像信号のうち、高い輝度を有する色座標に対応する伝達された画像信号の色座標も高い輝度を有するように、前記した輝度調整変数を計算する。この輝度調整変数を計算する過程は、色相調整変数を計算する過程と同一である。輝度調整変数計算部９０８で計算された輝度調整変数は、輝度調整部９１０に伝達される。
【００３１】
輝度調整部９１０は、輝度調整変数計算部９０８から伝達された輝度調整変数を利用して、伝達された画像信号の輝度を調整する（ステップＳ４０８）。図９では、輝度調整部９１０と輝度調整変数計算部９０８とを別の構成で示しているが、１つのユニットで構成できることは自明である。輝度調整部９１０で輝度調整された画像信号は、色空間逆変換部９１２に伝達される。色空間逆変換部９１２は、制御命令によって色空間変換部９０２で行なう動作と逆の処理を行う（ステップＳ４１０）。制御部９００は、画像表示装置の構成を制御するものである。
【００３２】
図９では、入力された画像信号が色相調整過程と輝度調整過程とを順次に行なうことが示されている。すなわち、入力画像信号に対して色相調整過程を先に行なった後、輝度調整過程を行う。しかし、ユーザの設定によって、色相調整過程と輝度調整過程とを１つの過程で行なうことができる。また、輝度調整過程を先に行なった後、色相調整過程を行なうことができる。
なお、本発明は、前記実施形態に限定されるものではなく、本発明に係る技術的思想から逸脱しない範囲内で様々な変更が可能であり、それらも本発明の技術的範囲に属する。
【図面の簡単な説明】
【００３３】
【図１】色を表現するのに用いられる原色同士の関係を示す図である。
【図２】ＨＤＴＶの標準仕様で提案されている色座標と画像表示装置で表示可能な色座標とを示す図である。
【図３】最大色度を有する画像信号の色相と輝度との関係を示す図である。
【図４】本実施形態に係る画像表示装置における色相調整と輝度調整を行なう過程を示す図である。
【図５】３つの色成分で表示可能な色空間を示す図である。
【図６】５つの色成分で表示可能な色空間を示す図である。
【図７】画像表示装置で輝度調整だけを行なう場合に生じ得る問題点を説明するための図である。
【図８】本実施形態に係る画像表示装置に色相調整を行なうことにより、図７で示される問題点を解決したことを説明するための図である。
【図９】本実施形態に係る画像表示装置の構成を示す図である。
【符号の説明】
【００３４】
９００    制御部
９０２    色空間変換部
９０４    色相調整変数計算部
９０６    色相調整部
９０８    輝度調整変数計算部
９１０    輝度調整部
９１２    色空間逆変換部
【図１】
2006094504.tif 000003
【図２】
2006094504.tif 000004
【図３】
2006094504.tif 000005
【図４】
2006094504.tif 000006
【図５】
2006094504.tif 000007
【図６】
2006094504.tif 000008
【図７】
2006094504.tif 000009
【図８】
2006094504.tif 000010
【図９】
2006094504.tif 000011